(57)【要約】      （修正有）【課題】排ガス中の臭気を除去することができるミスト捕集装置を提供する。【解決手段】本体ケースにファンで吸引するミスト成分を含んだ処理ガスを、ファンの前にプレフィルタ、ファンの後にミスト成分の分離ネットを介し、更に電気集じん部で微粒子を含むミスト成分を分離させるように構成されたミスト捕集装置において、電気集じん部又はミスト捕集装置の下流側の排気ガスとオゾン発生器によるオゾンが排気ガスと混合させるように配設した脱臭部ケースを連接させる。【選択図】図１
0003156980.tif 000002
【実用新案登録請求の範囲】
【請求項１】
本体ケースにファンで吸引するミスト成分を含んだ処理ガスを、ファンの前にプレフィルタ、ファンの後に１、または複数段のミスト成分の分離ネットを介し、更に電気集じん部で微粒子を含むミスト成分を分離させるように構成されたミスト捕集装置において、前記電気集じん部の下流側の排気ガスとオゾン発生器によるオゾンが排気ガスと混合させるように配設した脱臭部ケースを連接させたミスト捕集装置。
【請求項２】
本体ケースにファンで吸引するミスト成分を含んだ処理ガスを、ファンの前にプレフィルタ、ファンの後に１、または複数段のミスト成分の分離ネットを介してミスト成分を分離させるように構成されたミスト捕集装置において、前記ミスト捕集装置の下流側の排気ガスとオゾン発生器によるオゾンが排気ガスと混合させるように配設した脱臭部ケースを連接させたミスト捕集装置。
【考案の詳細な説明】
【技術分野】
【０００１】本考案は、たとえば工作機械などから飛散する切削油などのオイルミスト、厨房室などの熱水を扱い連続して多量に発生する蒸気を扱い、その他、各種ミスト成分と共に臭い成分を含むあらゆる分野での排気蒸気ガスを吸引し、ガス中のミスト成分を捕集すると共に、臭い成分を同時に中和、脱臭をさせる機能を一体的に備えた装置に関するものである。
【背景技術】
【０００２】工作機械などの切削工程では冷却を兼ねた切削油、あるいはその他の切削液を使用するがミスト成分を含むガスの発生、また分野は異なるが、たとえば厨房室などでは発生する蒸気、ミスト成分に臭い成分も含まれることが多く、従来公知のミスト捕集装置では臭い成分も併せて中和、消臭を一体的にできるミスト装置はなかった。
【先行技術文献】
【特許文献】
【０００３】
【特許文献１】特開２００１−２９３３９４（第７頁、第２図）
【考案の概要】
【考案が解決しようとする課題】
【０００４】工作機械などの運転には冷却を兼ねた切削油を使用するが発生するミスト成分の捕集装置には、たとえば前記特開２００１−２９３３９４に示されたミスト捕集装置があるが、その吸引口には、図示されていないがミスト発生部分に接近して包囲させたフードに接続されたダクトを介して前記吸引口に接続され、工作機械から発生飛散されるオイルミストを含むガスを吸引し、該オイルミストを捕集分離してその下流側に清浄ガスとして排出するように構成されたものが提案されている。【０００５】また、前記に示すミスト捕集装置の排気口に電気集じん器を加えて、なお捕集できない微細なミストや粒子を収集捕捉する装置との組み合わせも公知であり、さきの特開２００１−２９３３９４でも付加された電気集じん部が示されている。【０００６】しかしながら、微細なミスト成分や微細粒子を収集捕捉することが出来たとしても、そのミスト成分に特有の臭い成分が存在するような場合、従来のミスト捕集装置では、排気ガス中に残存する臭い成分を収集したり、中和消臭を一体的にすることはできず「希望されない匂い」、すなわち「不快とされる臭い成分」はミスト捕集装置の排気と共に周囲に拡散されてしまっていた。【０００７】このような工業製品の加工関連部門のほか、食品工場や厨房室、料理室などの食品関連、医薬品や手術室、処置室、介護を含む医療関連などの部門において発生する湯気蒸気、発煙を含む排気ガス中に含まれるミスト成分のおおかたの物質には、希望されない臭い成分をともなっている場合も多く、多量に、あるいは不快な悪臭となると消臭の必要度は高いが、従来のミスト捕集装置では一体的に同時に匂い成分を併せて分解、無臭にして排気する装置は存在しなかった。【０００８】また従来、ミスト捕集装置からの排気ガス中に希望されない臭い成分がある場合はミスト捕集装置にかかわる系外、例えば空調系内にミスト捕集装置を設置してその系外に排気ガスを放出するとき、空調系のもつ熱エネルギーはそのまま排気ガスの温度と共に廃棄されるので空調系の熱効率はその分、損なわれる事になり経済効率の低下は避けられなかった。【０００９】また、各種ミスト成分の殆どは多少の匂い成分を有するものであり、周囲環境を悪化させ、あるいは製品品質を低下させ、人体や衣服に付着吸収して希望しない、あるいは耐え難い臭い、すなわち悪臭を拡散させるなど、ひどい場合には受認できない嫌な臭いの拡散状況の甘受を余儀なくされる場合すら出現する。【００１０】また、従来のミスト捕集装置では吸引ガス中に混在するミスト成分を１段、又は複数段階の衝突板やフィルタを通過して付着やろ過によって捕集、収集され、捕集されたミスト成分は集積貯蔵され適時外部に取り出され、あるいは捕集部材も含めたミスト成分の付着部材の洗浄や交換によって更新され、運転が継続されるが、これら既存のミスト捕集装置ではその排気ガス中の匂い成分の除去装置がセットされていないため、臭い成分の放出は無視されるか、または別に用意された脱臭器を特別に設置するか、あるいは前記ミスト捕集装置の排気側に別個に設置した接続配管でもって脱臭器に接続する必要もあり、その配管スペースや電源設備等も別個に必要として経済的不利を抱え込むことになっていた。
【課題を解決するための手段】
【００１１】そこで公知の当該ミスト捕集装置の排気側にオゾン発生装置を一体的に連接して取り付け、その排気部分に本考案による脱臭装置を併設させることにより、省スペースで効果的に脱臭させようとするものである。【００１２】すなわち、本考案の第１は、本体ケースにファンで吸引するミスト成分を含んだ処理ガスを、ファンの前にプレフィルタ、ファンの後に１、または複数段のミスト成分の分離ネットを介し、更に電気集じん部で微粒子を含むミスト成分を分離させるように構成されたミスト捕集装置において、前記電気集じん部の下流側の排気ガスとオゾン発生器によるオゾンが排気ガスと混合させるように配設した脱臭部ケースを連接させたミスト捕集装置を提供するものである。【００１３】本考案の第２は、本体ケースにファンで吸引するミスト成分を含んだ処理ガスを、ファンの前にプレフィルタ、ファンの後に１、または複数段のミスト成分の分離ネットを介してミスト成分を分離させるように構成されたミスト捕集装置において、前記ミスト捕集装置の下流側の排気ガスとオゾン発生器によるオゾンが排気ガスと混合させるように配設した脱臭部ケースを連接させたミスト捕集装置を提供するものである。
【考案の効果】
【００１４】そこで本考案は各種ミスト成分には何らかの匂い成分を有するものとして、公知のミスト捕集装置の排気部分にオゾンによる消臭器を一体的に連接させ組み合わせ、さらにその下流側にある程度の通過抵抗値を有するろ過フィルタを配設することによって、ミスト捕集装置の排気ガス、またはミスト捕集装置の連接された電気集じん部の下流側排気ガスにオゾンを有効に混合させ、簡単な装置の配置で処理ガス中のミストの捕捉収集と同時に匂い成分を中和除去して無臭化することにより、ミスト捕集装置の設置系内を省スペースで経済的、かつ、設置場合によってはその空調系の熱損失を少なく抑制でき、省エネルギーに寄与するものである。
【図面の簡単な説明】
【図１】実施例１の主要部の断面図
【図２】〔図１〕の平面図
【図３】実施例１の一部を拡大した断面図
【図４】オゾン発生部３１の主要断面図
【図５】〔図４〕のＡ−Ａ断面図
【図６】実施例２の主要部の断面図
【考案を実施するための形態】
【実施例】
【００１５】まず、本考案の実施例１の構成を図１ないし図５において説明する。【００１６】本体ケース１の一側に吸引口８、他側に排出口９を具備して吸引したミスト成分を含むガスをプレフィルタ１１と遠心ファン２と数カ所で配されたガス流の衝突面に配設された分離ネット５ａ、５ｂ、５ｃでミスト成分をろ過、または接触分離させると共に、ミストガスが接触する当該ケース内のすべての内壁面で付着捕集したミスト成分を凝集させ垂下集合させるように構成し、ガス下流側の排気口９に電気集じん部２０を配設してミスト成分と微細固形物を捕集し、さらに電気集じん部２０の下流側にオゾン発生器３１と接続させた消臭部ケース３０を連接させ、また必要に応じ消臭部ケース３０の下流側に排気ガス量に対し適度の通過抵抗値を有するフィルタ７を配設して排気ガス中にオゾンを効率よく混合して、効果的に臭気成分を中和、消去させる構成にしてある。【００１７】すなわち、本体ケース１には、図１ないし図２において、一側からフロントボックス１ａ、遠心ファン２用のファンケーシング１ｂ、およびリアボックス１ｃが内装されている。また、フロントボックス１ａの上部に吸気口８が開設され、リアボックス１ｃの上部に排気口９が設けられ、本体ケース１内の吸気口８と排気口９との間には遠心ファン２とガスの下降流路１０が配設される。【００１８】図１において示された矢印は処理するガスの流れ方向を示し、前記吸気口８には、図示省略のたとえば各種ミストの発生源に近接した先端フードカバー類と、これらに連結したダクトを介して接続される。【００１９】遠心ファン２は中心部から吸い込んだガスを外周部から遠心方向に強烈に吐出するものであり、ファン部２Ａとこれを駆動するモータ部２Ｂとモータカバー部２Ｃから構成され、フロントボックス１ａとリアボックス１ｃとの間にはファンケーシング１ｂと隔壁３と隔壁４ガスで囲まれた下降流路１０を設けられている。【００２０】また、ファンケーシング１ｂ内に遠心ファン２のファンの中心の吸い込み部から外周に吹き飛ばされるミスト成分を含んだガス流からミスト成分を分離させるためのミスト分離部材として機能する分離ネット５ａが配設されている。分離ネット５ａはファン部２Ａの外周囲に間隔を設けて配設され、前記隔壁３の上部は分離ネット５ａの内周部と外周部に共通の開口部１ｅを設け、ガスの下降流路１０と連通させてある。【００２１】本体ケース１内において吸気口８と遠心ファン２のファンの吸込み口との間にはプレフィルタ１１が配設され、これによりまず粒径の大きなミスト成分、その他の混在する固形物が分離捕捉される。【００２２】下降流路１０とリアボックス１ｃを隔てる隔壁４の下方にはリアボックス１ｃの下部と連通する開口１ｇが設けられ、リアボックス１ｃ内にガス流を断面が狭窄した通路で誘導するように四方を囲む形のガイド１２が設けられ、ガイド１２によって誘導された直進成分の強いガス流中のミスト成分はリアボックス１ｃの内面に設けられた分離ネット５ｃに衝突し、ミスト成分は更なる分離捕捉の作用を受ける。なお、流路１０を形成する隔壁３、隔壁４の全ての内面にはファン部２Ａの回転によるミスト成分を含んだ処理ガスの攪拌作用と流動作用を激しく受けながら流下するので、これをミスト成分の捕集に利用すべく、その内壁面に分離ネット５ｂが必要な個所に適宜、配設される。【００２３】したがって、本実施例では前記プレフィルタ１１と分離ネット５ａ、分離ネット５ｃ、および分離ネット５ｂによってミスト成分の分離部材を構成すると共に、ミスト成分を含んだガス流は本体ケース１でのフロントボックス１ａと遠心ファン２、およびケーシング１ｂ、隔壁３、隔壁４、ガイド１２、ケーシング１ｃを含んだ全ての各内壁面、または接触面がミスト成分の分離機能を有し、それぞれの分離ミストの垂下部分では、そのすべてがドレン１３槽に落下するように各構成要素の部材ごとに集合する図面に例示の落下口が部材名省略で適宜設けられる。【００２４】また、遠心ファン２の後方にはモータ部２Ｂが設けられ、モータカバー２Ｃでカバーされ、モータカバー２Ｃはファンケーシング１ｂ、リヤボックス１ｃを貫通してリヤボックス１ｃの外部にモータ部２Ａの冷却用空気の取込み、排熱のために保護カバー付き開口をリヤボックス１ｃ背面に図示省略で配設している。【００２５】このような構成において遠心ファン２の駆動によって吸気口８から吸い込まれたミスト成分を含むガスは、まず、プレフィルタ１１によって、ミスト成分を含む粒径の大きなダストや固形物などが除去され、遠心ファン２の吸込み口からファン部を通過してファン２Ａの外周にはじき飛ばされ分離ネット５ａに衝突してミスト成分は分離ネットの内外面に付着し、ガス流は分離ネット５ａの内外面に沿って回転すると共にミスト成分を分離ネット５ａの外周面に噴出させ、ガス流はミスト成分の下降垂下を促すと共に隔壁３の上部の開口部１ｅを通って下降流路１０を流下し、隔壁４の下方の開口部１ｇよりガイド１２内に誘導、加速されてリヤボックス１ｃの下部の分離ネット５ｃにミスト成分を衝突させてミスト成分のさらなる分離捕集作用を受け、ガス流はガイド１２の端部開口と分離ネット５ｃとの間隔を上方に偏向、モータカバー２Ｃの外周囲を迂回上昇してリヤボックス１ｃの上部に配設された整流部材６に達する。【００２６】整流部材６の詳細構成は図示を省略するが、モータカバー２Ｃの外周囲を迂回し、乱流状態で上昇してきた排気ガスを乱れのない、平行した整流状態にするもので貫通する多数の略方形断面状の孔を略格子状に整列して設けた構成とする。【００２７】前記、整流部材６の下流側には電気集じん部２０が設けられ、電気集じん部２０の下流側には消臭部ケース３０が連接され、消臭部ケース３０にはオゾン発生器が内設されている。【００２８】図３においては電気集じん部２０と消臭部ケース、およびオゾン発生器３０と排気口９の接続関連を示し、図示省略の放電極と集じんセル２１、集じんセル２２で構成され電気集じん部２０の下流側にはオゾン発生装置３１の更に下流側にフィルタ７が接続されている。【００２９】電気集じん部２０の下流側には消臭部ケース３０が接続され、その一側にはオゾン発生器３１が取付けられ、オゾン発生器３１は外部から空気を取込むための電動ファン３２とファンモータ３３とモータスティ３４と空気取入れ口の保護網３５と、前記電動ファン３２による空気の下流側にはオゾンを発生させるために面状の絶縁材３６と、その内部に埋設された状態の面状電極３７と当該面状の絶縁材３６表面に、面状電極と略対峙して配設された線状電極３８とからなり、面状電極３７と線状電極３８には電気的に絶縁された状態に保持具４１、保持具４２によって挟持されるような構成とし、それぞれの高圧電極３９と高圧電極４０は互いに絶縁された構造で配設され、図示省略の電気付加装置から高電圧を付加させ、前記線状電極３８の周囲で絶縁材３６の表面に沿って放電によりオゾンを発生させる。【００３０】なお、前記絶縁材３６はセラミック材、面状電極３７や線状電極３８はタングステン材を使用するが例示であって、各部材の材質はこれに限定されたものではない。また、前記絶縁材３６は保持具４１、保持具４２によって電気絶縁下にオゾン発生器に保持されるが高圧電源３９、高圧電源４０の電気的絶縁と定位置に保持される機能が確保される範囲において保持具はいずれか一方であってもよい。なお、図４のＡ−Ａ断面図である図５においては、電動ファン３２、ファンモータ３３およびモータティ３４は説明に対し、煩雑になるので図示を省略した。【００３１】前記、オゾン発生装置３１は一般に沿面放電式と称されるもので高圧電源Ａ、高圧電源Ｂの電極間にかける電圧は１ＫＶないし１０ＫＶ直流電圧、または交流電圧で周波数は１ないし１０ＫＨｚ程度の帯電領域にある空気中の酸素はオゾン化し、前記電動フアンによる気流による電極部分の冷却作用と共に発生したオゾンを消臭部ケース３０内に搬送し、ミスト捕集装置の排気ガスと合流し混合され、オゾンの持つ殺菌作用と共に消臭作用が促進される。【００３２】前記、電気集じん部２０の具体構造は、ガスの流れに直列に２段に配置されたの集じんセル２１、２２を配設され、図面に詳細を省略したファンモータ２Ｂ用、集じん機用とオゾン発生器用の駆動電気、および各高圧パック２３とそれらを収納する電装ユニット２４が設置される。【００３３】なお、オゾン発生器３１の必要数は装置のガス処理容量の大きさによって適宜決定され、または電動ファン３２の空気圧、風量で加減され、消臭部ケース３０の外面から内部に向かってオゾンが発生、流入できるように増設、構成されるもので図示の一組に限定しない。また、本考案のミスト捕集装置の排気ガス中のオゾン排出量は厳密に監視され、オゾンの発生量は安全で無害な範囲内に制御されるように当該電装ユニット内において制御処理されるが詳細な説明は公知技術として省略する。【００３４】消臭部ケース３０の下流に必要により接続されるフィルタ７は必要に応じ消臭部ケース３０の下流側に配設され、排気ガス量に対し適度の通過抵抗値を有するもので排気ガス中にオゾンを効率よく混合して、効果的に臭気成分を中和、消去させる構成にしてある。またフィルタ７は電気集じん部２０の排気ガスの下流側に配設しても同様のろ過機能を発揮する。フィルタ７は、たとえば網状のステンレス鋼、ウレタン製多孔質の積層体、あるいはそれらにメッキ加工を施したものなど、必要に応じた材料や構成のものが適用される。また、フィルタ７は必要により消臭部ケース３０の上流側、または下流側の両方に配設してもよいが、その両方、または片方にあっても本考案の実施に関し、必要不可欠の部材ではない。【００３５】オゾン発生器３１から導入されたオゾンを搬送する空気流とミスト捕集の排気ガスがよく混合され、また、オゾン発生器３１に逆流しない程度の、排気ガス量に対して適度の通過抵抗値を有するものであり、さらにその下流側の排気口９には開閉可能なダンパー２５が配置され、電気集じん部２０や消臭ケース３０の、万が一の場合の断線による放電などによって火災が発生した際には、図示省略の温度センサーや火炎センサーによってこれを感知し、ダンパー２５を閉じて火炎の放出を防止するように図示省略の電動装置により構成され、また必要に応じそれらと連動して本装置の運転を停止させたり、非常時を掲示する警報音を発したりする構成とすることができる【００３６】以上、詳述の構成部材でたとえば、プレフィルタ１１、分離ネット５ａ、５ｂ、５ｃ、整流部材６、フィルタ７などの構成部材は特に金属材に限定するものではなく、部位によっては各種樹脂製のほか、紙製や段ボール様類似の材料を適用して使い捨て方式としたり、金属製として耐熱性能が増加したり、洗浄によるフィルタ類と分離ネット類の更新再利用を容易にするなど自在の材料選択と部材の取付けをすればよい。【００３７】次に、本考案の実施例２における構成を図６において説明する。本考案の実施例２のミスト捕捉機は、実施例１における電気集じん部２０を省いて構成されたものであり、その他の構成は全く同一である。また必要に応じ消臭部ケース３０の下流側に排気ガス量に対し適度の通過抵抗値を有するフィルタ７を配設して排気ガス中にオゾンを効率よく混合して、効果的に臭気成分を中和、消去させる構成にしてあるが、その必要度は本考案の実施例１で示したものと同様である。【００３８】すなわち、本体ケースにファンで吸引するミスト成分を含んだ処理ガスを、ファンの前にプレフィルタ、ファンの後に１、または複数段のミスト成分の分離ネットを介してミスト成分を分離させるように構成されたミスト捕集装置において、前記ミスト捕集装置の下流側の排気ガスとオゾン発生器によるオゾンが排気ガスと混合させるように配設した脱臭部ケースを連接させたミスト捕集装置である。【００３９】すなわち、本考案でいう処理ガスに消臭作用は必要だが電気集じん部２０の設置を省略しても要求されるミスト成分の捕集性能が十分であるような場合に、本体ケース１の一側に吸引口８、他側に排出口９を具備して吸引したミスト成分を含むガスをプレフィルタ１１と遠心フアン２と数カ所で配されたガス流の衝突面の分離ネット５ａ，５ｂ，５ｃでミスト成分をろ過、または接触分離させると共に、ミスト成分を含む処理ガスが接触する本体ケース１内のすべての内壁面で付着捕集したミスト成分を凝集させて垂下分離するように構成し、排気ガス下流側に消臭ケース部３０を一体的に接続させ排気ガス中にオゾンを加えて臭気成分を中和、消去させる構成にしたミスト捕集装置であり、消臭部ケース３０の下流側にオゾン発生器から導入されたオゾン搬送空気とミスト捕集の排気ガスがよく混合され、また、オゾン発生器に逆流しない程度に、必要に応じ排気ガス量に対して適度の通過抵抗値を有するフィルタ７を配設して排気ガス中にオゾンを効率よく混合するようにして、効果的に臭気成分を中和、消去させる構成にしてある。以下実施例１のおいて同一の詳細な説明の重複部分は省略する。
【産業上の利用可能性】
【００４０】本考案のミスト捕集装置の排気には、ミストに伴う臭気をミスト捕集装置と一体的に、同時に脱臭可能となり、ひとまとめのコンパクトな装置で省スペースであり、その適用範囲は格段に拡大される。たとえば従来、工作機械加工部門で発生するミスト捕集のほかに、ミスト捕集だけでは適用の無かった食品製造関係、医療品製造関係から動物飼育・処理関連部門、食料調理室から美容・整形などの環境整備、その他あらゆるミスト成分の捕集、分離と臭い成分の中和、消臭を要求される部門、部分に広く適用可能となる。【００４１】また本考案のミスト捕集装置はコンパクトな装置で省スペースであるため、設置場所に対する制約は緩和され、きわめて経済的、実用的に広く適用できる。【００４２】また、本考案のミスト捕集装置はコンパクトな装置で省スペースで適用範囲が拡大され、ミスト成分の捕集、分離と臭い成分の中和、消臭が要求される部門に広く適用できるので、環境整備が容易に拡大される。
【符号の説明】１  本体ケース
１ａ  フロントボックス
１ｂ  ファンケーシング
１ｃ  リヤボックス
１ｅ  開口部
１ｇ  開口部
２    遠心ファン
２Ａ  ファン部
２Ｂ  モータ部
２Ｃ  モータカバー
３    隔壁
４    隔壁
５ａ、５ｂ、５ｃ  分離ネット
６    整流部材
７    フィルタ
８    吸気口
９    排気口
１０  下降流路
１１  プレフィルタ
１２  ガイド
１３  ドレン槽
２０  電気集じん部
２１  集じんセル
２２  集じんセル
２３  高圧パック
２４  電装ユニット
２５  ダンパー
３０  消臭部ケース
３１  オゾン発生器
３２  電動ファン
３３  ファンモータ
３４  モータスティ
３５  保護網
３６  絶縁材
３７  面状電極
３８  線状電極
３９  高圧電源
４０  高圧電源
４１  保持具
４２  保持具
【図１】
0003156980.tif 000003
【図２】
0003156980.tif 000004
【図３】
0003156980.tif 000005
【図４】
0003156980.tif 000006
【図５】
0003156980.tif 000007
【図６】
0003156980.tif 000008